(57)【要約】【課題】  簡単な構成でレールに対するラッチの係合及び解除が可能な折り戸を提供する。【解決手段】  本発明の折り戸１において、ラッチ装置２５は一方の障子１５の内下部に設けてあり、作動部材４１が他方の障子の召し合わせ框との当接端とラッチ体との当接端とを有しており、折り戸１が閉じ位置にあるときには他方の障子１７の召し合わせ框２３の突部４７が作動部材４１を押してラッチ体３１をばね３３の付勢力に抗して水平軸２９の回りを下方に回動することにより、ラッチ３７をレール９に係合し、折り戸１が開位置にあるときにはラッチ体３１がばね３３の付勢力に順じて水平軸２９の回りを上方に回動することによりラッチ３７とレール９との係合が外れる。【選択図】      図１
2005213893.tif 000002
【特許請求の範囲】
【請求項１】
左右障子と、左右障子の召し合わせ框を連結する中央框と、レールに係合する可動ラッチを有するラッチ装置とを備え、略フラットな出入口側床面に設けた折り戸であって、ラッチ装置は左右障子の一方の障子内下部に設けてあり、水平軸と、水平軸回りを回動自在に設け且つ下端にラッチを有するラッチ体と、ラッチ体の下端を水平軸回りに上げる方向に付勢するばねと、水平方向に移動自在に設けた作動部材とを有し、作動部材は他方の障子の召し合わせ框との当接端とラッチ体との当接端とを有しており、折り戸が閉じ位置にあるときには他方の障子の召し合わせ框が作動部材を押してラッチ体をばねの付勢力に抗して水平軸回りに下方に回動することによりラッチをレールに係合し、折り戸が開位置にあるときにはラッチ体がばねの付勢力に順じて水平軸回りを上方に回動することによりラッチとレールとの係合が外れることを特徴とする折り戸。
【請求項２】
作動部材が摺動自在に挿入された案内部材を備え、作動部材はラッチ体との当接端が案内部材よりも食みだした形状の抜け防止部となっていることを特徴とする請求項１に記載の折り戸。
【請求項３】
一方の障子の下端に装着する一方のキャップと、他方の障子の召し合わせ框の下端に装着する他方のキャップを備え、他方のキャップは一方のキャップ側に突設する突部を有し、一方のキャップは突部を受ける凹部を有し、凹部に作動部材の他方障子側当接端が位置しており、折り戸が閉じ位置にあるときに他方のキャップの突部が作動部材の召し合わせ框側当接端に当接することを特徴とする請求項１に記載の折り戸。
【発明の詳細な説明】
【技術分野】
【０００１】
本発明は、閉じ状態を保持するラッチ装置を備えた折り戸に関するものである。
【背景技術】
【０００２】
折り戸を閉じたときにはラッチがレールに係合して折り戸の閉じ状態を保持し、折り戸を開くときにはラッチを引き上げてレールとの係合を外す可動ラッチを設けた技術が公知である。
この種の技術として、特許文献１には戸先側障子の下框に水平軸回りを回動自在なラッチを設け、障子の戸先框に設けたロッドが竪枠に突き当たったときにラッチをばねの付勢力に抗して回動させてラッチをレールに係合するラッチ装置が開示されている。
【０００３】
【特許文献１】特開平１０−４６９００号公報
【発明の開示】
【発明が解決しようとする課題】
【０００４】
しかし、上述した特許文献１に記載のラッチ装置は、戸先框からラッチに至るロッドを障子内に設けるとともにロッドの左右方向の動き（往復運動）を水平軸回りに回転する回転運動に変換する機構が必要になるので、構成が複雑になるという問題がある。
そこで本発明は、簡単な構成でレールに対するラッチの係合及び解除が可能な折り戸の提供を目的とする。
【課題を解決するための手段】
【０００５】
請求項１に記載の発明は、左右障子と、左右障子の召し合わせ框を連結する中央框と、レールに係合する可動ラッチを有するラッチ装置とを備え、略フラットな出入口側床面に設けた折り戸であって、ラッチ装置は左右障子の一方の障子内下部に設けてあり、水平軸と、水平軸回りを回動自在に設け且つ下端にラッチを有するラッチ体と、ラッチ体の下端を水平軸回りに上げる方向に付勢するばねと、水平方向に移動自在に設けた作動部材とを有し、作動部材は他方の障子の召し合わせ框との当接端とラッチ体との当接端とを有しており、折り戸が閉じ位置にあるときには他方の障子の召し合わせ框が作動部材を押してラッチ体をばねの付勢力に抗して水平軸回りに下方に回動することによりラッチをレールに係合し、折り戸が開位置にあるときにはラッチ体がばねの付勢力に順じて水平軸回りを上方に回動することによりラッチとレールとの係合が外れることを特徴とする。
【０００６】
請求項２に記載の発明は、請求項１に記載の発明において、作動部材が摺動自在に挿入された案内部材を備え、作動部材はラッチ体との当接端が案内部材よりも食みだした形状の抜け防止部となっていることを特徴とする。
【０００７】
請求項３に記載の発明は、請求項１に記載の発明において、一方の障子の下端に装着する一方のキャップと、他方の障子の召し合わせ框の下端に装着する他方のキャップを備え、他方のキャップは一方のキャップ側に突設する突部を有し、一方のキャップは突部を受ける凹部を有し、凹部に作動部材の他方障子側当接端が位置しており、折り戸が閉じ位置にあるときに他方のキャップの突部が作動部材の召し合わせ框側当接端に当接することを特徴とする。
【発明の効果】
【０００８】
請求項１に記載の発明によれば、折り戸の開状態から閉じ状態になったときに一方の障子に設けたラッチ体は、他方の障子の召し合わせ框に当接する作動部材に押されて水平軸を下方に回動してラッチがレールに係合する構成であるから、従来技術のように戸先側框から召し合わせ框に至る長尺の作動部材や往復運動を回転運動に変換する機構を必要としないので、小型で且つ簡易な構成にできる。
ラッチ装置は障子内に設けているので、折り戸全体の外観を損なわず且つ異物の付着等による機能低下を防止できる。
【０００９】
請求項２に記載の発明では、請求項１に記載の発明と同様な効果を奏するとともに、ラッチ体との当接端が案内部材に対する抜けを防止しているので、折り戸が開き状態にあり作動部材がラッチ体に押されてその当接端が案内部材内に入り込んだり、抜けたりするのを防止できる。
また、組み立て時には作動部材を他方の召し合わせ框との当接端側から、抜け防止部が当接するまで案内部材に挿入するだけで済み、組み立てが容易である。
【００１０】
請求項３に記載の発明では、請求項１に記載の発明と同様な効果を奏するとともに、作動部材はキャップ内にあって外から見えないので外観がよいとともに、作動部材における召し合わせ框との当接端は、一方のキャップの凹部内で他方のキャップの突部に押圧されるので、折り戸の閉じ状態及び開き状態のいずれにおいても作動部材はほとんど外に露出されず、足を引っ掛けたり傷つけたりするのを防止できる。
【発明を実施するための最良の形態】
【００１１】
以下に、添付図面を参照して本発明の実施の形態を詳細に説明する。図１は本発明の実施の形態にかかる折り戸の横断面図であり、図１は折り戸が閉じ状態にある場合のラッチ装置の作用を示す図であり、（ａ）は中央框と召し合わせ框の横断面図、（ｂ）は（ａ）をＡ―Ａから見た側面図であり、図２は折り戸が閉じた状態における折り戸下部の縦断面図であり、図３は折り戸が開き状態にある場合のラッチ装置の作用を示す図であり、（ａ）は中央框と召し合わせ框の横断面図、（ｂ）は（ａ）をＡ―Ａから見た側面図であり、図４はラッチ装置の一部を切り欠いて示す斜視図であり、図５は折り戸の横断面図であり、図６は一方のキャップの図であり、（ａ）は正面図、（ｂ）は側面図、（ｃ）は平面図である。尚、図２ではキャップを省略して示している。
本実施の形態にかかる折り戸１は、浴室戸であって、枠３と障子５とを備えており、下枠７に設けたレール９と浴室床面１１と脱衣室床面１３とが略同一高さであり、段差のない構成（バリヤフリー）になっている。
障子５は、左右の一方側障子（右障子）１５と他方側障子（左側障子）１７と、中央框１９とから構成されており、一方側障子１５の召し合わせ框２１と他方側障子の召し合わせ框２３とが中央框１９に回動自在に連結されている。
中央框１９は、障子の閉じ状態において、その一方側略半分１９ａを一方側召し合わせ框２１に飲み込まれており、他方側略半分１９ｂを他方側召し合わせ框２３に呑みこまれており、一方側障子１５の障子下部にある下框内にはラッチ装置２５が収納されている。
ラッチ装置２５は、ケース２７と、水平軸２９と、ラッチ体３１と、ばね３３と、作動部材４１とを備えている。水平軸２９はケース２７の内側に固定されており、ラッチ体３１は腕部３５により水平軸２９に回動自在に取り付けてられている。本実施の形態では、ラッチ体３１は、障子の面内方向に沿って回動自在である。
ラッチ体３１内には下端にラッチ３７を有すラッチ軸３８がばね３９を介して昇降自在に取り付けられている。
ばね３３は水平軸２９に挿通されたコイルばねであり、一端３３ａをケース２７の内側に係止してあり、他端３３ｂをラッチ体３１に当接してラッチ体３１を水平軸回りの上方に回動するように付勢している。
作動部材４１は、ケース２７に設けられた案内部材４３により略水平方向に移動自在に案内されており、一端がラッチ体３１との当接端４１ａになっており、他端が後述するキャップ４５の突部４７との当接端４１ｂになっている。作動部材４１は平板状であり、平面視略Ｌ字形状をなしており、ラッチ体３１との当接端４１ａが案内部材４３よりも食み出した抜け防止部となっている。
作動部材４１とラッチ体３１とをずれた位置に設けるとともに作動部材４１を略Ｌ字状として案内部材から食み出した当接端４１aでラッチ体３１に当接するようにしているので、ラッチ体３１を作動するストロークを最小にすることができ、装置の簡易化且つ小型化を図ることができる。
他方側障子１７の召し合わせ框２３には下端に他方のキャップ４５が装着されており、キャップに突部４７が一体成形されている。突部４７は一方側障子１５の召し合わせ框２１側に突設しており、折り戸の閉じ状態では作動部材４１の当接端４１ｂに当接して、作動部材をラッチ体３１側に移動し且つ押圧するようになっている。
一方側障子１５の召し合わせ框21側の下端には一方のキャップ４４が装着されており、一方のキャップ４４に設けられている凹部４6に作動部材４１の当接端４１ｂが配置されており、他方のキャップ４５の突部４７を凹部４6が受けるとともに、折り戸の閉じ状態のときに凹部４6にある当接端４１ｂが他方のキャップ４５の突部４７に押されて作動部材４１が移動する。
【００１２】
次に、本実施の形態にかかる折り戸１の作用及び効果を説明する。図５に一点鎖線ａで示すように折り戸１が開き状態にあるときには、図３に示すように一方側障子１５の召し合わせ框２１内に設けた作動部材４１の当接端４１ｂと、他方側障子１７に装着した他方のキャップ４５の突部４７とは離れた位置にあり、ラッチ体３１は自由状態になっているので、ばね３３の付勢力によりばね３３の他端３３ｂに押されて水平軸回りを上方に回動した位置にあり、図３（ｂ）に示すようにラッチ体３１は斜めに位置する。この状態では、ラッチ３７は浴室床面１１よりも上方に位置している。
作動部材４１の当接端４１ｂは一方のキャップ４４において凹部内にあり、一方のキャップ４４から僅かに突出するだけでほとんど隠れているから、外観を損なわない。
そして、折り戸１を閉じるときには、図５の一点鎖線ａから実線で示す位置にくるが、このときに、中央框１９に対して一方の障子１５の召し合わせ框２１と他方の障子１７の召し合わせ框２３が互いに近づいて、図１に示すように、召し合わせ框２３に装着した他方のキャップ４５の突部４７が作動部材４１の当接端４１ｂに当接して、作動部材４１を押し圧する。作動部材４１は案内部材４１に案内されて水平方向に移動し、ラッチ体３１との当接端４１ａがラッチ体３１をばね３３の付勢力に抗して押し、ラッチ体３１の下端は水平軸回りを下方に移動する。これにより、ラッチ３７は下方に移動して、レール９に係合する。
折り戸１が閉じ位置にあるときには、作動部材４１は一方のキャップ４４の凹部４６と他方のキャップ４５の突部４７とで隠されているので、外部から見えず且つ露出しないので、足を傷つけることを防止でき、安全性が高い。
ラッチ３７は、レール９を浴室側と脱衣室側とから跨いで係合しているので、折り戸１が閉じ状態にあるときに折り戸の逆折れを防止できる。
本実施の形態によれば、折り戸１を閉じた場合に、一方の障子１５に設けたラッチ体３１は他方の障子１７の召し合わせ框２１により当接する作動部材４１に押されて水平軸２９を下方に回動してレール９に係合する構成であるから、従来技術のように戸先側框から召し合わせ框に至る長尺の作動部材や往復運動を回転運動に変換する機構を必要としないので、小型で且つ簡易な構成にできる。
ラッチ装置２５は障子内下部に設けているので、折り戸全体の外観を損なわず且つ機能低下を防止できる。
特に、本実施の形態ではラッチ装置２５は下框２２に設けているので、召し合わせ框における排水の確保やゴミ溜まりを防止できる。
他方の障子１７に装着した他方のキャップ４５の突部４７が作動部材４１に当接する構成であるから、作動部材４１が露出する長さを低減できる。
他方のキャップ４５には突部４７を設けるだけなので構成が簡易で製造も一体成形により容易に製造できる。
ラッチ装置２５は一方側障子１５の下部にケース２７を取り付け、他方の障子に突部４７を有する他方のキャップ４５を取り付けるだけなので、組み立てが簡単にできる。
【００１３】
本発明は、上述した実施の形態に限らず、本発明の要旨を逸脱しない範囲で種々変形可能である。
ラッチ装置２５は左右いずれの障子１５、１７に設けるものであってもよい。
請求項１に記載の発明においては、作動部材４１の当接端４１ｂは他方のキャップ４５に当接することに限らず、他方側障子１７の召し合わせ框２１に直接当接するものであってもよい。
【図面の簡単な説明】
【００１４】
【図１】折り戸が閉じ状態にある場合のラッチ装置の作用を示す図であり、（ａ）は中央框と召し合わせ框の横断面図、（ｂ）は（ａ）のＡ―Ａから見た側面図である。
【図２】折り戸が閉じた状態における折り戸下部の縦断面図である。
【図３】折り戸が開き状態にある場合のラッチ装置の作用を示す図であり、（ａ）は中央框と召し合わせ框の横断面図、（ｂ）は（ａ）のＡ―Ａから見た側面図である。
【図４】ラッチ装置の一部を切り欠いて示す斜視図である。
【図５】折り戸の横断面図である。
【図６】一方のキャップの図であり、（ａ）は正面図、（ｂ）は側面図、（ｃ）は平面図である。
【符号の説明】
【００１５】
１      折り戸
９      レール
１５    一方側障子
１７    他方側障子
１９    中央框
２１    召し合わせ框
２３    召し合わせ框
２５    ラッチ装置
２９    水平軸
３１    ラッチ体
３３    ばね
３７    ラッチ
４１    作動部材
４１ａ  ラッチ体との当接端
４１ｂ  他方の召し合わせ框との当接端
４３    案内部材
４４    一方のキャップ
４５    他方のキャップ
４６    凹部
４７    突部
【図１】
2005213893.tif 000003
【図２】
2005213893.tif 000004
【図３】
2005213893.tif 000005
【図４】
2005213893.tif 000006
【図５】
2005213893.tif 000007
【図６】
2005213893.tif 000008